(57)【特許請求の範囲】
【請求項１】
第１の光源と、
第１の光源からの第１の光を測定対象眼に案内すると共に、測定対象眼からの反射光から得られる干渉光を検出する光学装置と、を備える光断層画像撮影装置であって、
第１の光が照射されている位置を示すエイミング光を照射する第２の光源と、
先端部に開口窓を有しており、眼球内に挿入可能な光プローブと、をさらに備え、
光プローブは、光学装置で案内された第１の光を前記開口窓を介して測定対象眼の内部に照射すると共に測定対象眼から反射される反射光を光学装置に案内し、かつ、第２の光源からのエイミング光を前記開口窓を介して第１の光が照射されている位置に照射し、
前記開口窓は、前記先端部を覆うハウジングの側面に設けられており、
前記ハウジングは、前記第１の光及び前記エイミング光を透過せず、前記開口窓のみが、前記光プローブの外部に前記第１の光及び前記エイミング光を透過可能であり、
光プローブの開口窓は、光プローブの側面に周方向に所定の角度範囲で設けられており、
前記光断層画像撮影装置は、前記ハウジング内で前記第１の光の照射方向及び前記エイミング光の照射方向を前記光プローブの軸線に対して周方向に回転させる回転部をさらに備え、
第１の光及びエイミング光は、前記開口窓から光プローブの軸と直交する方向に照射されると共に、前記回転部によって光プローブの軸周りに所定の角度範囲で走査され、
前記第２の光源は、赤色のエイミング光及び緑色のエイミング光の少なくとも１つを照射可能に構成されており、
光プローブの先端部の径は、φ０．７ｍｍ（２３ゲージ）、φ０．５ｍｍ（２５ゲージ）、φ０．３ｍｍ（３０ゲージ）のいずれかである、光断層画像撮影装置。
【請求項２】
第２の光源は、複数の発光色のエイミング光を照射可能に構成されており、
第２の光源から測定対象眼に照射されるエイミング光の発光色を選択する選択スイッチをさらに備えている、請求項１に記載の光断層画像撮影装置。
【発明の詳細な説明】
【技術分野】
【０００１】
（関連出願の相互参照）
本出願は、２０１３年６月１４日に出願された日本国特許出願である特願２０１３−１２５４０４の関連出願であり、この日本出願に基づく優先権を主張するものであり、この日本出願に記載された全ての内容を援用するものである。
本明細書に開示する技術は、光干渉を利用して光断層画像を撮影する光断層画像撮影装置に関する。
【背景技術】
【０００２】
近年、光干渉を利用して眼の光断層画像を撮影する装置が開発されている。例えば、特許文献１では、被検眼の眼底画像及び光断層画像を別々の光学系で取得し、これら２つの画像を対応づけて表示する撮影装置が開示されている。この撮影装置では、まず、モニタに眼底画像が表示されると共に、その表示された眼底画像上に測定位置を表す測定ラインが併せて表示される。検者は、モニタを見ながら測定ラインを眼底画像に対して移動させ、光断層画像を撮影する位置を設定する。そして、検者の操作によって、測定ラインの位置における光断層画像が撮影される。
【先行技術文献】
【特許文献】
【０００３】
【特許文献１】特開２０１２−８１３３０号公報
【発明の概要】
【発明が解決しようとする課題】
【０００４】
この種の撮影装置を眼の外科治療に利用することが検討されている。すなわち、眼を手術する際に、治療部位を光断層画像で確認しながら必要な処置を行うことが検討されている。光断層画像撮影装置を用いることで、肉眼では確認できない状態（例えば、網膜剥離の状態等）を確認でき、適切な治療を行うことが可能となる。光断層画像撮影装置を外科治療に用いる場合、眼球内に挿し込んだ光プローブから眼球内に光を照射できれば、眼球内の所望の位置の光断層画像を取得できるため好ましい。ただし、光断層画像の撮影に用いられる光は可視光ではないため、眼球内のどの位置で光断層画像を撮影しているかを確認する必要がある。そこで、光断層画像撮影装置に特許文献１の技術を採用することが考えらえる。しかしながら、特許文献１の技術では、検者はモニタに表示された眼底画像を見ながら光プローブを操作し、光断層画像を撮影する位置を設定する必要がある。この場合、モニタに表示される画像だけでは光プローブと被検眼の撮影部位（例えば、網膜）との遠近が把握しにくく、光プローブが被検眼の撮影部位に接触する可能性が高くなる。【０００５】
本明細書は、光断層画像の撮影位置を肉眼で確認可能となる光断層画像撮影装置を開示する。
【課題を解決するための手段】
【０００６】
本明細書に開示する光断層画像撮影装置は、第１の光源と、第１の光源からの第１の光を測定対象眼に案内すると共に、測定対象眼からの反射光から得られる干渉光を検出する光学装置と、を備える光断層画像撮影装置である。光断層画像撮影装置は、第１の光が照射されている位置を示すエイミング光を照射する第２の光源と、先端部に開口を有しており、眼球内に挿入可能な光プローブと、をさらに備える。光プローブは、光学装置で案内された第１の光を開口を介して測定対象眼の内部に照射すると共に測定対象眼から反射される反射光を光学装置に案内し、かつ、第２の光源からのエイミング光を開口を介して第１の光が照射されている位置に照射する。【０００７】
上記の撮影装置では、第１の光源からの光（光断層画像を得るための光）と、第２の光源からのエイミング光とが眼球内の同一の位置に照射される。そのため、光プローブを操作する操作者は、エイミング光が照射された位置を肉眼で確認しながら、光プローブを操作して所望の位置にエイミング光を照射し、その位置の光断層画像を撮影することができる。したがって、操作者はエイミング光と光プローブの両者を肉眼で確認することができるため、光プローブと撮影位置との遠近の把握が容易であり、光プローブが眼球内の組織に意図せずに接触する危険性を軽減することができる。【０００８】
光プローブの開口は、光プローブの側面に周方向に所定の角度範囲で設けられていてもよい。第１の光及びエイミング光は、開口から光プローブの軸と直交する方向に照射されると共に、光プローブの軸周りに所定の角度範囲で走査されてもよい。また、第２の光源は、複数の発光色（例えば、赤色、緑色等）のエイミング光を照射可能に構成され、第２の光源から被検眼に照射されるエイミング光の発光色を選択スイッチにより選択できるようにしてもよい。
【図面の簡単な説明】
【０００９】
【図１】光断層画像撮影装置の光学系の概略構成図を示す。
【図２】光断層装置の光プローブの斜視図を示す。
【図３】光断層画像撮影装置の光プローブを眼球内に挿入した際における眼球の縦断面図を示す。
【図４】家兎眼の正常網膜を撮影した画像を示す。
【図５】家兎眼の視神経乳頭の光断層画像を示す。
【図６】ダイヤモンドイレーサーが正常網膜表層に接触する様子を示す。
【図７】バックフラッシュニードルによって硝子体皮質と網膜の一部とが吸引され、牽引される様子を示す。
【図８】家兎眼の網膜が剥離している様子を示す。
【図９】豚眼の毛様体皺襞部の光断層画像を示す。
【図１０】黄斑上膜症のヒトの網膜上膜の光断層画像を示す。
【図１１】網膜上膜を手術により治療している様子を示す。
【図１２】ヒトの網膜下、脈絡膜中にある渦静脈の光断層画像を示す。
【図１３】ヒトの網膜最周辺部にあたる鋸状縁の光断層画像を示す。
【図１４】ヒトの毛様体の光断層画像を示す。
【図１５】ヒトの眼内レンズと毛様体と虹彩との光断層画像を示す。
【図１６】ヒトの角膜と虹彩と隅角部との光断層画像を示す。
【発明を実施するための形態】
【００１０】
（実施例）
図１に示すように、光断層画像撮影装置は、測定対象眼２００からの反射光Ｌ１‘と参照光Ｌ２とを干渉させる干渉光学系１０と、測定対象眼２００にエイミング光を照射する照射光学系１００と、を備える。
【００１１】
干渉光学系１０は、第１の光源１２と、第１の光源１２からの測定光Ｌ１を測定対象眼２００に照射すると共に、測定対象眼２００からの反射光Ｌ１‘を受光する光プローブ５０と、第１の光源１２からの参照光Ｌ２の光路長を調整する参照光学系９０と、これら各部１２，５０，９０を接続する光ファイバＦＢ１〜ＦＢ４，ＦＢ６，ＦＢ７及び光ファイバカプラ１４，１６と、を備える。
【００１２】
第１の光源１２は、生体透過性の高い近赤外域の光を出射する光源である。第１の光源１２は、光ファイバＦＢ１、光ファイバカプラ１４及び光ファイバＦＢ２，ＦＢ３，ＦＢ４を介して光プローブ５０及び参照光学系９０に接続されている。第１の光源１２から出力される第１の光は、低コヒーレンス光であり、その波長は時間的に変化しない。第１の光Ｌは、光ファイバＦＢ１、光ファイバカプラ１４及び光ファイバＦＢ２，ＦＢ３，ＦＢ４を通過して、測定光学系５０及び参照光学系９０に導かれる。
【００１３】
すなわち、光ファイバＦＢ１〜ＦＢ４，ＦＢ６，ＦＢ７は、光を伝送する伝送路であり、光ファイバカプラ１４，１６は、光信号を分波及び／又は合波するデバイスである。光ファイバＦＢ１の一端は第１の光源１２に接続される一方、他端は光ファイバカプラ１４に接続されている。光ファイバカプラ１４には、光ファイバＦＢ２，ＦＢ７がさらに接続されている。光ファイバカプラ１４は、光ファイバＦＢ１から入力する光を光ファイバＦＢ２に出力し、また、光ファイバＦＢ２から入力する光を光ファイバＦＢ７に出力する。光ファイバＦＢ７は、干渉光検出器２０に接続されている。
【００１４】
光ファイバＦＢ２は、光ファイバカプラ１６を介して光ファイバＦＢ３，ＦＢ４，ＦＢ６に接続されている。光ファイバカプラ１６は、光ファイバＦＢ２からの光を光ファイバＦＢ３，ＦＢ４に分波する一方、光ファイバＦＢ３，ＦＢ４から入力する光を合波し、その合波した光を分波して光ファイバＦＢ２，ＦＢ６に出力する。光ファイバＦＢ３は光プローブ５０に接続され、光ファイバＦＢ４は参照光学系９０に接続され、光ファイバＦＢ６は干渉光検出器２０に接続されている。
【００１５】
参照光学系９０は、第１光学レンズ５２、第２光学レンズ５４、反射ミラー５６、基台５８、及び、ミラー移動機構６０から構成される。第２光学レンズ５４及び反射ミラー５６は、基台５８に固定されている。基台５８は、第１光学レンズ５２に対して光軸方向に進退動可能に設けられている。すなわち、基台５８はミラー移動機構６０に接続されており、ミラー移動機構６０によって基台５８は光軸方向に進退動する。基台５８は光軸方向に進退動することで、参照光Ｌ２の光路長が調整される。なお、ミラー移動機構６０は、例えば、モータと、モータの出力を基台５８の往復運動に変換する機構により構成される。モータを駆動することで、基台５８が第１光学レンズ５２に対して周期的に進退動し、これによって参照光Ｌ２の光路長が周期的に変化する。
【００１６】
光プローブ５０は、検者によって操作され、その先端が眼球内に挿入可能となっている。光プローブ５０は、光ファイバカプラ２６と、光ファイバカプラ２６に接続された光プローブ本体４０と、を備える。光ファイバカプラ２６は、光ファイバＦＢ３からの測定光Ｌ１を光プローブ本体４０に出力する。光プローブ本体４０は、光ファイバカプラ２６からの測定光Ｌ１を測定対象部位に導くと共に、測定対象部位からの反射光Ｌ１’を光ファイバＦＢ３に導く。光プローブ本体４０には、光ファイバＦＢ５を介して第２の光源９２が接続されている。光プローブ本体４０については、後で詳述する。
【００１７】
第２の光源９２は、可視光を出射するレーザ光源（例えば、赤色レーザ光源）である。第２の光源９２から出力されるエイミング光Ｌ３は、光ファイバＦＢ５を介して光ファイバカプラ２６に入力される。光ファイバカプラ２６は、光ファイバＦＢ３からの測定光Ｌ１と光ファイバＦＢ５からのエイミング光Ｌ３を合波し、その合波した光（Ｌ１＋Ｌ３）を光プローブ本体４０に出力する。したがって、測定光Ｌ１とエイミング光Ｌ３は、測定対象部位の同一位置に照射される。本実施例では、第２の光源９２と光プローブ５０によって照射光学系１００が構成されている。
【００１８】
上述した干渉光学系１０は、光ファイバＦＢ６，ＦＢ７により干渉光検出器２０に接続されている。干渉光検出器２０は、例えば、受光素子から構成されており、光ファイバＦＢ６，ＦＢ７から入力する干渉光Ｌ４を電気信号に変換する。干渉光検出器２０は、断層画像処理部２２に接続されている。干渉光検出器２０で変換された電気信号は、断層画像処理部２２に入力される。
【００１９】
断層画像処理部２２は、入力される信号を処理する信号処理回路と、処理された信号から画像を作成する画像処理部によって構成される。断層画像処理部２２は、干渉光学検出器２０から入力される電気信号から得られる解析結果を利用し、公知の方法によって測定対象眼２００の光断層画像を作成する。作成された光断層画像は表示部２４（例えばモニタ）に出力され、表示部２４に表示される。
【００２０】
次に、光プローブ本体４０について詳細に説明する。光プローブ本体４０は、光ファイバカプラ２６が装着される装着部２８と、検査者に把持される把持部３０と、把持部３０に取付けられた回転部３２と、回転部３２に取付けられたプローブハウジング３４と、を備える。光プローブ本体４０（すなわち、装着部２８、把持部３０、回転部３２、プローブハウジング３４）内には、光ファイバカプラ２６からの光が伝送される伝送路である光ファイバが配置されている。この光ファイバは、回転部３２とプローブハウジング３４との間で分割され、図示省略の光学的ロータリジョイントにより、プローブハウジング３４側の光ファイバが、回転部３２側の光ファイバに対して回転自在となるように接続されている。プローブハウジング３４側の光ファイバは、回転部３２によって光プローブ本体４０の軸線周りに回転可能となっている。
【００２１】
装着部２８の入力端には、光ファイバカプラ２６からの光が入力する。装着部２８の出力端には、把持部３０が取付けられる。把持部３０は、検査者が測定対象眼２００を検査する際に把持する部分である。回転部３２は、プローブハウジング３４側の光ファイバを回転させる機構（駆動モータ等）を備えている。図２に示すように、プローブハウジング３４は、先端が閉じた円筒状の部材であり、回転部３２から突出している。プローブハウジング３４を眼球内に挿入するための穴を小さくするために、プローブハウジング３４の先端の径を小さくすることが好ましい。その一方、プローブハウジング３４には、操作性の観点からある程度の剛性が必要とされる。このため、例えば、径をφ０．７ｍｍ（２３ゲージ）、φ０．５ｍｍ（２５ゲージ）、φ０．３ｍｍ（３０ゲージ）とすることができる。プローブハウジング３４の側面には、開口窓３８が形成されている。開口窓３８は、プローブハウジング３４の先端近傍に配設されている。開口窓３８は、略長方形状に形成され、周方向に所定の角度範囲で開口している。開口窓３８は、透過性の部材で塞がれ、外部からの水分等の浸入が防止されている。
【００２２】
プローブハウジング３４内には、開口窓３８と対応する位置に反射ミラー３６が配置されている。具体的には、反射ミラー３６で反射された測定光Ｌ１及びエイミング光Ｌ３が開口窓３８を通過できる位置に反射ミラー３６が配置されている。反射ミラー３６は、プローブハウジング３４側の光ファイバの先端に取付けられている。このため、反射ミラー３６は、光プローブ本体４０の軸線(すなわち、測定光Ｌ１とエイミング光Ｌ３の光軸)の周りに回転可能となっている。反射ミラー３６の反射面は、回転部３２に対向しており、光プローブ本体４０の軸線に対して４５°だけ傾斜している。このため、光ファイバカプラ２６からの光Ｌ１＋Ｌ３は、反射ミラー３６の反射面で反射され、開口窓３８よりプローブハウジング３４外に照射される。反射ミラー３６の反射面がプローブハウジング３４の軸線に対して４５°で傾斜しているため、反射ミラー３６で反射された光は、プローブハウジング３４の軸線に対して直交する方向に照射される。また、反射ミラー３６が回転するため、反射ミラー３６で反射される光の照射方向は、時間の経過に伴って周方向に変化する。開口窓３８が周方向に所定の角度範囲で開口しているため、反射ミラー３６で反射された光が照射される範囲も周方向の所定角度範囲に限定される。なお、上述した本実施形態では光プローブ本体４０に回転部３２を設ける構成としているが、これに限るものではない。本体４０の外に回転部を設けることも可能である。より具体的には、光ファイバカプラ２６と本体４０との間に回転部３２を設け、回転部３２よりプローブハウジング３４側の光ファイバと、この光ファイバ先端に取り付けられる反射ミラー３６とを回転部３２の駆動により回転させるようにする。なお、光ファイバカプラ２６と回転部３２は、本体４０とは一体化させず別部材とし、使用者が本体４０のみを把持し取り扱うことができるように回転部３２と本体４０との間は十分な長さを有した光ファイバにて接続させる構成とする。また、回転部３２と本体４０との間の光ファイバは柔軟性を有した中空チューブによって内包され外部から保護された状態としておくことが好ましい。なお、中空チューブは回転部３２によって回転されないように回転部３２と本体４０との間で接続され、中空チューブ内を通る光ファイバが回転部３２によって回転されるように構成される。このような構成によって、本体４０に回転機構を設けることがないため、使用者が把持する部分となる本体４０をより小型化させることができる。
また、本実施形態では反射ミラーを用いて光Ｌ１+Ｌ３をプローブハウジング外に向けて反射させているが、これに限るものではなく、反射ミラーの代わりに反射部材としてプリズムを用いることも可能である。さらに、反射ミラー（反射部材）の傾斜角度も４５°に限るものではなく、所望する光の出射方向が得られる傾斜角度であればよい。
【００２３】
次に、本実施例の光断層画像撮影装置を用いて、測定対象眼２００を検査するときの手順を説明する。本実施例の光断層画像撮影装置は、患者の眼を手術する際に用いられる。例えば、図３に示すように、測定対象眼２００に手術用の創口を形成し、その創口から眼球内に光プローブ５０のプローブハウジング３４を挿入する。次いで、第１の光源１２及び第２の光源９２をオンすると共に、ミラー移動機構６０及び回転部３０の駆動を開始する。これによって、干渉光検出器２０で干渉光が検出され、その検出された干渉光から測定対象眼２００の光断層画像が作成され、その作成された光断層画像が表示部２４に表示される。
【００２４】
すなわち、第１の光源１２から出力される光Ｌは、光ファイバＦＢ１、光ファイバカプラ１４及び光ファイバＦＢ２を通って光ファイバカプラ１６に入力する。光ファイバカプラ１６に入力された光Ｌは、参照光Ｌ２と測定光Ｌ１に分割される。
【００２５】
参照光Ｌ２は、光ファイバＦＢ４を通って参照光学系９０に入力される。参照光学系Ｌ２に入力された参照光Ｌ２は、第１光学レンズ５２及び第２光学レンズ５４を通って反射ミラー５６に照射される。反射ミラー５６に照射された参照光Ｌ２’は、第２光学レンズ５４及び第１光学レンズ５２を通って光ファイバＦＢ４に導かれる。光ファイバＦＢ４に導かれた参照光Ｌ２’は、光ファイバカプラ１６に入力される。ここで、第２光学レンズ５４及び反射ミラー５６は、ミラー移動機構６０によって第１光学レンズ５２に対して周期的に進退動する。このため、参照光Ｌ２の光路長も周期的に変化する。
【００２６】
一方、測定光Ｌ１は、光ファイバＦＢ３を通って光プローブ５０の光ファイバカプラ２６に入力される。また、光ファイバカプラ２６には、第２の光源９２からのエイミング光３も入力される。このため、測定光Ｌ１及びエイミング光Ｌ３は、光ファイバカプラ２６で合成される。合成された光Ｌ１＋Ｌ３は、光プローブ本体４０内の光ファイバに入力される。光プローブ本体４０内に入力された光Ｌ１＋Ｌ３は、反射ミラー３６で反射され、プローブハウジング３４の開口窓３８より測定対象眼２００の測定対象部位（例えば、網膜２５０）に照射される。ここで、反射ミラー３６は回転部３２によって回転するため、測定対象部位に照射される光Ｌ１＋Ｌ３は、光プローブ本体４０の軸線周りに回転する。一方、プローブハウジング３４に形成される開口窓３８は、プローブハウジング３４の周方向の所定角度範囲内にのみ開口するため、測定対象部位に照射される光Ｌ１＋Ｌ３は、所定の角度範囲に限定される。反射ミラー３６の回転は、周期的に行われるため、測定対象部位に照射される光の照射位置も周期的に変化する。すなわち、測定対象部位に照射される光Ｌ１＋Ｌ３は、所定の範囲内を走査される。
【００２７】
測定対象眼２００の測定対象部位に照射された光（Ｌ１＋Ｌ３）は、測定対象部位で反射される。反射光（Ｌ１‘＋Ｌ３’）は、開口窓３８を通ってプローブハウジング３４内に導かれる。プローブハウジング３４内に導かれた光（Ｌ１‘＋Ｌ３’）は、光ファイバカプラ２６及び光ファイバＦＢ３を通って光ファイバカプラ１６に入力される。光ファイバカプラ１６には、光プローブ５０からの光（Ｌ１‘＋Ｌ３’）と、参照光学系９０からの参照光Ｌ２’が入力される。光ファイバカプラ１６は、これら入力する光（Ｌ１‘＋Ｌ３’）とＬ２’を合成し干渉波Ｌ４とする。干渉波Ｌ４は、光ファイバＦＢ２，ＦＢ６，ＦＢ７を通って干渉光検出器２０で検出され、その検出された干渉光から断層画像処理部２２は測定対象眼２００の光断層画像を作成する。作成された光断層画像は、表示部２４に表示される。これによって、検査者は、表示部２４に表示される光断層画像から、測定対象眼２００の測定対象部位（網膜２５０）の状態を判断することができる。これによって、必要な処置を行うことができる。
【００２８】
本実施例の光断層画像撮影装置では、測定光が照射される位置にエイミング光も照射される。したがって、検査者は肉眼でエイミング光が照射された位置を確認することができ、そのエイミング光を確認しながら所望の位置の光断層画像を得ることができる。このため、光プローブ５０の先端が測定対象眼２００の内部組織に接触することを未然に防止することができる。また、プローブハウジング３４の開口窓３８が周方向の所定角度範囲に限定され、測定光とエイミング光が照射される部位が限定される。これによっても、検査者の意図通りの部位の光断層画像を取得でき、測定対象眼２００の状態を正確に診断することができる。
【００２９】
（具体的な事例）
続いて、本実施例の光断層画像撮影装置を利用して、撮影された光断層画像について説明する。なお、撮影は、名古屋大学倫理委員会の承認を得た上で行った。
【００３０】
図４には、家兎眼の正常網膜の光断層画像が示されている。より具体的には、図４の上側は、光断層画像の撮影時における眼球内の画像である。この画像では、光断層画像撮影装置の光プローブからエイミング光が照射されている様子が示されている。図４の中央は、光断層画像の撮影部位を模式的に示している。図４の下側は、エイミング光が照射された部位における光断層画像である。光断層画像の上方が組織の表層、下方が深層を示す。光断層画像には、網膜と、網膜表層に走行する網膜血管と、が写っている。図５には、家兎眼の視神経乳頭の光断層画像が示されている。このように、本実施例の光断層画像撮影装置によると、眼球内の目的の組織の光断層画像を適切に撮影することができる。
【００３１】
図６、図７には、家兎眼の正常網膜の光断層画像が示されている。図６の光断層画像では、ダイヤモンドイレーサーが正常網膜表層に接触している。図７の光断層画像では、バックフラッシュニードルによって硝子体皮質と網膜の一部とが吸引され、牽引されている。なお、図６、図７は、静止画であるが、実際には、動画として撮影されている。そのため、検者は、組織の光断層像の動画を見つつ、ダイヤモンドイレーサー、バックフラッシュニードル等の手術用器具を操作することができる。
【００３２】
図８には、家兎眼の網膜の光断層画像が示されている。光断層画像によると、網膜が剥離している様子が分かる。図９には、豚眼の毛様体皺襞部の光断層画像が示されている。毛様体皺襞部は、眼球外から見た場合に、虹彩の陰となっている。従って、眼球外から、毛様体皺襞部の光断層画像を撮影することは困難である。本実施例では、眼球内から光断層画像を撮影するため、図９のように、毛様体皺襞部の光断層画像を得ることができる。
【００３３】
図１０には、黄斑上膜症のヒトの網膜上膜の光断層画像が示されている。図１０の光断層画像は、外来検査にて撮影された。図１０の上側の光断層画像の撮影部位（エイミング光を走査する走査線）と、下側の光断層画像の撮影部位（エイミング光を走査する走査線）と、は直交している。光断層画像では、網膜の中心部分である黄斑部の網膜上に膜が張り、網膜が腫れている。図１１には、図１０の網膜上膜を手術中に観察した光断層画像が示されている。具体的には、図１１の上側、下側には、それぞれ、黄斑上膜、内境界膜をセッシによって剥離している様子が示されている。このように、本実施例の光断層画像撮影装置によると、手術の経過を適切に撮影することができる。
【００３４】
図１２には、ヒトの網膜下、脈絡膜中にある渦静脈の光断層画像が示されている。より具体的には、図１２の上側、下側には、それぞれ、渦静脈支流、渦静脈膨大部の光断層画像が示されている。
【００３５】
図１３には、ヒトの網膜最周辺部にあたる鋸状縁の光断層画像が示されている。鋸状縁には、嚢胞様変化が認められる。
【００３６】
図１４には、ヒトの毛様体の光断層画像が示されている。より具体的には、図１４の上側、下側には、それぞれ、毛様体の横断面、縦断面の光断層画像が示されている。横断面の光断層画像では、毛様体の皺状構造が描出され、縦断面の光断層画像では、眼内レンズ支持部が描出されている。図１５には、ヒトの眼内レンズと毛様体と虹彩の光断層画像が示されている。図１４の画像は、光プローブを結膜のサイドポートから挿入し、撮影しているのに対して、図１５の画像は、光プローブを前眼のサイドポートから挿入し、撮影している。即ち、図１５では、図１４よりも眼の前方に近い位置で撮影が行われている。そのため、図１５の画像には、毛様体に加えて、眼内レンズと虹彩とが写っている。
【００３７】
図１６には、ヒトの角膜と虹彩と隅角部との光断層画像を示す。図１６の画像は、光プローブを眼球内に挿入せずに、眼球外から撮影した画像である。
【００３８】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００３９】
本実施例の光断層画像撮影装置は、反射ミラー５６を駆動するタイム・ドメイン方式のＯＣＴ装置としたが、広帯域光源を利用するＳＤ−ＯＣＴ装置であってもよいし、波長掃引型の光源を利用するＳＳ−ＯＣＴ装置としてもよい。ＳＤ−ＯＣＴ装置やＳＳ−ＯＣＴ装置では、測定中に反射ミラー５６を駆動しなくてもよいため、短時間で光断層画像を取得することができる。
【００４０】
本実施例では、エイミング光Ｌ３の反射光Ｌ３‘は、開口３８を通過し、干渉光検出器２０に導かれるが、これに代えて、光学フィルタによって、反射光Ｌ３’をカットしてもよい。この場合、反射光Ｌ３‘は干渉光検出器２０に導かれない。
また、本実施例では、光ファイバカプラ１４を用いて光源１２からの測定光を光ファイバカプラ１６に送り、光ファイバカプラ１６にて合成されて得られる干渉波Ｌ４を光ファイバカプラ１４を介して干渉光検出器２０に導くようにしているが、これに限るものではない。光ファイバカプラ１４に代えてサーキュレーターを使用し、干渉波Ｌ４を効率よく干渉光検出器２０に導くことも可能である。より具体的には、図１に示す光ファイバカプラ１４に代えてサーキュレーターを使用し、光源１２からの測定光をサーキュレーターを介して光ファイバカプラ１６に送り、光ファイバカプラ１６からの干渉波Ｌ４を干渉光検出器２０に導くようにする。このような構成によれば、干渉波Ｌ４の一部が光源１２側に戻ることがないため、光損失を抑制して干渉波を干渉光検出器２０に導くことができる。
また、光ファイバカプラ１４を用いず、光源１２からの測定光を直接光ファイバカプラ１６に送る構成とし、光ファイバカプラ１６と参考光学系９０の間、及び光ファイバカプラ１６と光プローブ５０との間に各々サーキュレーターを配置し、各サーキュレーターに入射する反射光（Ｌ２’、及びＬ１’+Ｌ３’）を新規の光ファイバカプラで合成し干渉波を得て、これを干渉光検出器２０に分配して導くような構成も考えられる。このような構成でも、光損失を抑制して干渉波を干渉光検出器２０に導くことができる。
また、光ファイバカプラ１４を用いず、光源１２からの測定光を直接光ファイバカプラ１６に送る構成とし、光ファイバカプラ１６と参考光学系９０の間、及び光ファイバカプラ１６と光プローブ５０との間に各々サーキュレーターを配置し、各サーキュレーターに入射する反射光（Ｌ２’、及びＬ１’+Ｌ３’）を新規の光ファイバカプラで合成し干渉波を得て、これを干渉光検出器２０に分配して導くような構成も考えられる。このような構成でも、光損失を抑制して干渉波を干渉光検出器２０に導くことができる。
【００４１】
また、エイミング光を照射するための第２の光源は、複数色の光を発光可能に構成してもよい。例えば、第２の光源９２は、赤色光（波長６００〜７８０ｎｍ）を発光する赤色光源部と、緑色光（波長５００〜５７０ｎｍ）を発光する緑色光源部を備えることができる。このような場合に、光断層画像撮影装置は、被検眼に照射される光を、赤色光源部からの光とするか、緑色光源部からの光とするかを選択する選択スイッチを備えることができる。例えば、光断層画像撮影装置の光路上には緑色光を除去するフィルタと、赤色光を除去するフィルタのいずれかを配置可能に構成する。検者が選択スイッチを操作すると、いずれかのフィルタが光路上に配置され、緑色光又は赤色光のいずれが被検眼に照射される。このような構成によると、緑色光のエイミング光と、赤色光のエイミング光が被検眼に選択的に照射可能となる。眼球内の組織は、赤色（即ち緑色の補色）に近いため、エイミング光として緑色光を選択すると、検者は、照射されたエイミング光Ｌ３を認識しやすくなる。一方、エイミング光として赤色光を選択すると、緑色光を選択した場合と比較して、エイミング光Ｌ３が照射されることによる眼球内の組織への影響を小さくすることができる。このように被検眼に照射されるエイミング光の色は、その目的に応じて適宜選択してもよい。
【００４２】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４３】
１０・・干渉光学系
１２・・光源
１４・・光ファイバカプラ
１６・・光ファイバカプラ
２０・・干渉光検出器
２２・・断層画像処理部
２４・・表示部
２６・・光ファイバカプラ
２８・・装着部
３０・・把持部
３２・・回転部
３４・・プローブハウジング
３６・・反射鏡
３８・・開口窓
４０・・光プローブ本体
５０・・光プローブ
５２・・第１光学レンズ
５４・・第２光学レンズ
５６・・反射ミラー
５８・・基台
６０・・ミラー移動機構
９０・・参照光学系
９２・・光源
１００・・照射光学系
２００・・測定対象眼
２５０・・網膜
ＦＢ１〜ＦＢ７・・光ファイバ
【図１】
0006465406.tif 000002
【図２】
0006465406.tif 000003
【図３】
0006465406.tif 000004
【図４】
0006465406.tif 000005
【図５】
0006465406.tif 000006
【図６】
0006465406.tif 000007
【図７】
0006465406.tif 000008
【図８】
0006465406.tif 000009
【図９】
0006465406.tif 000010
【図１０】
0006465406.tif 000011
【図１１】
0006465406.tif 000012
【図１２】
0006465406.tif 000013
【図１３】
0006465406.tif 000014
【図１４】
0006465406.tif 000015
【図１５】
0006465406.tif 000016
【図１６】
0006465406.tif 000017